(57)【要約】【課題】複数のタブの各々に対応する表示窓の中から、任意の表示窓に対応するタブを選択することにより当該タブに対応する表示窓を表示させる機能をコンピュータに実現させるプログラム及びユーザインターフェース並びにプログラムを記録したコンピュータ読取り可能な記録媒体の提供。【解決手段】複数のタブの各々に対応する表示窓の中から、任意の表示窓に対応するタブを選択することにより当該タブに対応する表示窓を表示させる機能を実現させるユーザインターフェースにおいて、複数の表示窓に対応したグループタブを表示する機能と、該グループタブに対応した複数の表示窓のうちの１つの表示窓を選択的に表示させる機能を実現させるユーザインターフェース、該ユーザインターフェースをコンピュータに実現させるプログラム及び該プログラムを記録したコンピュータ読取り可能な記録媒体。【選択図】        図１
2004288062.tif 000002
【特許請求の範囲】
【請求項１】
コンピュータに、複数のタブの各々に対応する表示窓の中から、任意の表示窓に対応するタブを選択することにより当該タブに対応する表示窓を表示させる機能を実現させるプログラムにおいて、
複数の表示窓に対応したグループタブを表示する機能と、
該グループタブに対応した複数の表示窓のうちの１つの表示窓を選択的に表示させる機能を実現させることを特徴とするプログラム。
【請求項２】
コンピュータに、複数のタブの各々に対応する表示窓の中から、任意の表示窓に対応するタブを選択することにより当該タブに対応する表示窓を表示させる機能を実現させるプログラムにおいて、
前記表示窓に対応するタブの１又は２以上のタブを選択する機能と、
当該選択された複数のタブに対しグループ化設定を行う機能と、
前記グループ化設定されたタブを１つのグループタブとして表示する機能を有することを特徴とするプログラム。
【請求項３】
前記グループタブを選択すると当該グループタブが設定された複数のタブに対応する表示窓のうちの任意の表示窓を表示する機能を有することを特徴とする請求項２記載のプログラム。
【請求項４】
前記グループタブを連続して選択すると表示される表示窓が切り替わる機能を有することを特徴とする請求項１又は３記載のプログラム。
【請求項５】
前記グループタブの各タブに対応する表示窓のうち表示された表示窓に対応するタブの名称を表示する機能を有することを特徴とする請求項１、３又は４記載のプログラム。
【請求項６】
前記グループタブを選択した後、当該グループタブ以外のタブを選択し、再び当該グループタブを選択した場合に、前記タブの選択の前に当該グループタブが選択状態にあった際に表示されていた表示窓を表示する機能を有することを特徴とする請求項１、３、４又は５に記載のプログラム。
【請求項７】
複数のタブの各々に対応する表示窓の中から、任意の表示窓に対応するタブを選択することにより当該タブに対応する表示窓を表示させる機能を実現させるユーザインターフェースにおいて、
複数の表示窓に対応したグループタブを表示する機能と、
該グループタブに対応した複数の表示窓のうちの１つの表示窓を選択的に表示させる機能を実現させることを特徴とするユーザインターフェース。
【請求項８】
コンピュータに、複数のタブの各々に対応する表示窓の中から、任意の表示窓に対応するタブを選択することにより当該タブに対応する表示窓を表示させる機能を実現させるユーザインターフェースにおいて、
前記表示窓に対応するタブの１又は２以上のタブを選択する機能と、
当該選択された複数のタブに対しグループ化設定を行う機能と、
前記グループ化設定されたタブを１つのグループタブとして表示する機能を有することを特徴とするユーザインターフェース。
【請求項９】
前記グループタブを選択すると当該グループタブが設定された複数のタブに対応する表示窓のうちの任意の表示窓を表示する機能を有することを特徴とする請求項８記載のユーザインターフェース。
【請求項１０】
前記グループタブを連続して選択すると表示される表示窓が切り替わる機能を有することを特徴とする請求項７又は９記載のユーザインターフェース。
【請求項１１】
前記グループタブの各タブに対応する表示窓のうち表示された表示窓に対応するタブの名称を表示する機能を有することを特徴とする請求項７、９又は１０記載のユーザインターフェース。
【請求項１２】
前記グループタブを選択した後、当該グループタブ以外のタブを選択し、再び当該グループタブを選択した場合に、前記タブの選択の前に当該グループタブが選択状態にあった際に表示されていた表示窓を表示する機能を有することを特徴とする請求項７、９、１０又は１１に記載のユーザインターフェース。
【請求項１３】
請求項１乃至請求項６のいずれか１項に記載のプログラムを記録したコンピュータ読取り可能な記録媒体。
【発明の詳細な説明】
【０００１】
【発明の属する技術分野】
本発明は、プログラム及びユーザインターフェース並びにプログラムを記録したコンピュータ読取り可能な記録媒体に関し、複数のタブの各々に対応する表示窓の中から、任意の表示窓に対応するタブを選択することにより当該タブに対応する表示窓を表示させる機能をコンピュータに実現させるプログラム及びユーザインターフェース並びにプログラムを記録したコンピュータ読取り可能な記録媒体に関する。
【０００２】
【従来の技術】
従来、複数のタブの各々に対応する表示窓の中から、任意の表示窓に対応するタブを選択することにより当該タブに対応する表示窓を表示させる機能をコンピュータに実現させるプログラムが知られている。
【０００３】
かかるプログラムは、１つのファイルのデータを複数に分割して表示させることにより、選択されたデータのみが表示窓として表示されることにより、視認性が高い作業環境を提供するものであった。
【０００４】
しかし、このように分割して表示する表示窓は、対応して設けられたタブを選択することによって表示されるのであって、表示窓の数が増えるとそれだけタブが増えることになり、タブのレイアウトのまとまりが悪く、選択する際に困難性が増すという問題がある。
【０００５】
【発明が解決しようとする課題】
そこで、本発明は上記問題点に鑑みなされたものであって、本発明の課題は、タブ数を減らすことにより必要とするタブ又は表示窓の検索と指定が素早く行えるようにしたプログラム及びユーザインターフェース並びにプログラムを記録したコンピュータ読取り可能な記録媒体を提供することにある。
【０００６】
本発明の他の課題は、本明細書の以下の記載によって明らかになる。
【０００７】
【課題を解決するための手段】
上記課題は、以下の各発明によって解決される。
【０００８】
（請求項１）コンピュータに、複数のタブの各々に対応する表示窓の中から、任意の表示窓に対応するタブを選択することにより当該タブに対応する表示窓を表示させる機能を実現させるプログラムにおいて、複数の表示窓に対応したグループタブを表示する機能と、該グループタブに対応した複数の表示窓のうちの１つの表示窓を選択的に表示させる機能を実現させることを特徴とするプログラム。
【０００９】
（請求項２）コンピュータに、複数のタブの各々に対応する表示窓の中から、任意の表示窓に対応するタブを選択することにより当該タブに対応する表示窓を表示させる機能を実現させるプログラムにおいて、前記表示窓に対応するタブの１又は２以上のタブを選択する機能と、当該選択された複数のタブに対しグループ化設定を行う機能と、前記グループ化設定されたタブを１つのグループタブとして表示する機能を有することを特徴とするプログラム。
【００１０】
（請求項３）前記グループタブを選択すると当該グループタブが設定された複数のタブに対応する表示窓のうちの任意の表示窓を表示する機能を有することを特徴とする請求項２記載のプログラム。
【００１１】
（請求項４）前記グループタブを連続して選択すると表示される表示窓が切り替わる機能を有することを特徴とする請求項１又は３記載のプログラム。
【００１２】
（請求項５）前記グループタブの各タブに対応する表示窓のうち表示された表示窓に対応するタブの名称を表示する機能を有することを特徴とする請求項１、３又は４記載のプログラム。
【００１３】
（請求項６）前記グループタブを選択した後、当該グループタブ以外のタブを選択し、再び当該グループタブを選択した場合に、前記タブの選択の前に当該グループタブが選択状態にあった際に表示されていた表示窓を表示する機能を有することを特徴とする請求項１、３、４又は５に記載のプログラム。
【００１４】
（請求項７）複数のタブの各々に対応する表示窓の中から、任意の表示窓に対応するタブを選択することにより当該タブに対応する表示窓を表示させる機能を実現させるユーザインターフェースにおいて、複数の表示窓に対応したグループタブを表示する機能と、該グループタブに対応した複数の表示窓のうちの１つの表示窓を選択的に表示させる機能を実現させることを特徴とするユーザインターフェース。
【００１５】
（請求項８）コンピュータに、複数のタブの各々に対応する表示窓の中から、任意の表示窓に対応するタブを選択することにより当該タブに対応する表示窓を表示させる機能を実現させるユーザインターフェースにおいて、前記表示窓に対応するタブの１又は２以上のタブを選択する機能と、当該選択された複数のタブに対しグループ化設定を行う機能と、前記グループ化設定されたタブを１つのグループタブとして表示する機能を有することを特徴とするユーザインターフェース。
【００１６】
（請求項９）前記グループタブを選択すると当該グループタブが設定された複数のタブに対応する表示窓のうちの任意の表示窓を表示する機能を有することを特徴とする請求項８記載のユーザインターフェース。
【００１７】
（請求項１０）前記グループタブを連続して選択すると表示される表示窓が切り替わる機能を有することを特徴とする請求項７又は９記載のユーザインターフェース。
【００１８】
（請求項１１）前記グループタブの各タブに対応する表示窓のうち表示された表示窓に対応するタブの名称を表示する機能を有することを特徴とする請求項７、９又は１０記載のユーザインターフェース。
【００１９】
（請求項１２）前記グループタブを選択した後、当該グループタブ以外のタブを選択し、再び当該グループタブを選択した場合に、前記タブの選択の前に当該グループタブが選択状態にあった際に表示されていた表示窓を表示する機能を有することを特徴とする請求項７、９、１０又は１１に記載のユーザインターフェース。
【００２０】
（請求項１３）請求項１乃至請求項６のいずれか１項に記載のプログラムを記録したコンピュータ読取り可能な記録媒体。
【００２１】
【発明の実施の形態】
以下、本発明の実施の形態を図面に基づいて説明する。
【００２２】
本発明のプログラムの前提は、コンピュータに、複数のタブの各々に対応する表示窓の中から、任意の表示窓に対応するタブを選択することにより当該タブに対応する表示窓を表示させる機能を実現させるプログラムである。
【００２３】
本発明の第１のプログラムの特徴は、複数の表示窓に対応したグループタブを表示する機能と、該グループタブに対応した複数の表示窓のうちの１つの表示窓を選択的に表示させる機能を有することである。
【００２４】
本発明の第２のプログラムの特徴は、前記表示窓に対応するタブの１又は２以上のタブを選択する機能と、当該選択された複数のタブに対しグループ化設定を行う機能と、前記グループ化設定されたタブを１つのグループタブとして表示する機能を有することである。
【００２５】
本発明のプログラムについて図１乃至図６に基づいて以下詳細に説明する。
【００２６】
図１は、本発明の第１のプログラムにおけるグループ化設定について説明するための説明図であり、図２は、グループタブの選択操作の一例を説明するための説明図であり、図３乃至図６は、グループタブの選択操作の他の一例を説明するための説明図である。
【００２７】
（第２のプログラムにおけるグループ化設定）
図１（ａ）において、１ａは情報を表示するための表示窓であり、２ａ、２ｂ、…２ｅは複数のタブである。同図において、「Ｔ１」〜「Ｔ５」で示される複数のタブ２ａ、２ｂ、…２ｅの各々に対応する表示窓１のうち、選択されたＴ１タブ２ａに対応する表示窓１ａが表示されている。
【００２８】
Ｔ１タブ２ａを選択状態を保持したまま図１（ｂ）に示すようにＴ２タブ２ｂ及びＴ３タブ２ｃを選択する。
【００２９】
タブを選択するのは、例えば、マウス等のポインティングデバイスでタブをクリックする方法がある。１又は２以上のタブを選択するとは、例えば、Ｔ１タブ１ａを選択した状態のまま「Ｓｈｉｆｔキー」を押さえながらＴ２タブ２ｂ及びＴ３タブ２ｃをも選択（クリック）する方法がある。
【００３０】
図１（ｂ）に示すように複数のタブＴ１、Ｔ２、Ｔ３を選択した後、かかる複数のタブＴ１、Ｔ２、Ｔ３に対して、図１（ｃ）に示すようにグループ化設定を行うことができる。図１に示す例では、タブＴ１、Ｔ２、Ｔ３に対して、Ｔ１２３というタブグループとするグループ化設定を行っている。
【００３１】
グループ化設定された複数のタブＴ１、Ｔ２、Ｔ３は、図１（ｄ）に示すように１つのグループタブＴ１２３として表示される。
【００３２】
また、第１のプログラムでは、上記グループ化設定がデフォルトで行われており、複数のタブＴ１、Ｔ２、Ｔ３に対応する表示窓に対応する１グループタブＴ１２３として表示される。
【００３３】
このように、本発明のプログラムは、表示されるタブ数を減らすことができるので、必要とするタブの検索や指定が素早く行え、限られた表示空間により多くのタブをレイアウトすることができる。
【００３４】
また、グループ化するタブを同一カテゴリのタブで行えば、意味構造に近いタブ配置が可能となり、直感的なタブ検索が可能となる。
【００３５】
（グループタブの基本動作その１）
図２に示すように、グループタブＴ１２３を選択すると、当該グループタブの各タブに対応する表示窓のうちの任意の表示窓を表示することが好ましい。
【００３６】
（グループタブの基本動作その２）
グループタブを連続して選択すると、表示される表示窓を図２（ａ）、図２（ｂ）、図２（ｃ）のように切り替えることも好ましい。連続して選択するとは、例えば、図２に示す例では、グループタブＴ１２３を選択した後、次に選択するタブをタブＴ４又はタブＴ５でなく、再びグループタブＴ１２３にすることをいう。
【００３７】
このようにすることで、同一カテゴリのタブを順次参照したいような場合、グループ化することによりマウスなどの指示装置のカーソル移動が必要なく、クリック動作のみで実現可能であるため、操作性が向上し、ユーザは情報を参照することに専念できる。
【００３８】
（グループタブの基本動作その３）
また、グループタブを選択した後に別のタブを選択し、再び前記グループタブを選択した場合に、前記グループタブを１度目に選択した時に表示されていた表示窓を当該グループタブを２度目に選択した際にも表示することが好ましい。具体的には、タブＴ４を選択した（図３（ａ））後、グループタブＴ１２３を選択した（図３（ｂ））際、タブＴ１に対応する表示窓が表示されていた場合、再びタブＴ４を選択し（図３（ａ））、グループタブＴ１２３を選択する（図３（ｂ））と、タブＴ１に対応する表示窓が表示される。グループタブＴ１２３のタブＴ２、タブＴ３についても同様に、グループタブＴ１２３が再び選択された時には、最後に表示されていた表示窓が表示される。
【００３９】
図４（ａ）に示すような状態から図４（ｂ）に示すようにグループタブとなるタブを選択し、図４（ｃ）に示すようなグループタブＴ１２３を設定した後、グループタブＴ１２３を再び選択（クリック）すると、図４（ｄ）に示すようにタブＴ３に対応する表示窓が表示される。図４（ｄ）に示す状態でグループタブの解除を行うと、グループタブＴ１２３の代わりに、タブＴ１、タブＴ２、タブＴ３がそれぞれ表示される（図４（ｅ））。同様に、図４（ｃ）に示す状態でグループタブの解除が行われると、グループタブＴ１２３の代わりに、タブＴ１、タブＴ２、タブＴ３がそれぞれ表示される（図４（ｂ））。図４（ｂ）の状態から、さらにタブＴ２を選択（クリック）すると、図４（ａ）のようにタブＴ２のみが選択状態である表示に戻る。
【００４０】
（タブの名称表示）
また、図５に示すように、グループタブＴ１２３のうち、タブＴ１に対応する表示窓が表示されている場合に、タブの名称を表示することが好ましい。例えば、図５（ａ）に示すように、タブＴ１に対応する表示窓が表示されている場合にタブの名称「Ｔ１」と表示したり、図５（ｂ）に示すように、タブＴ２に対応する表示窓が表示されている場合にタブの名称「Ｔ２」と表示したり、図５（ｃ）に示すように、タブＴ３に対応する表示窓が表示されている場合にタブの名称「Ｔ３」と表示したりする。
【００４１】
（グループタブの識別方法）
また、例えば図６（ａ）、（ｂ）、（ｃ）に示すように、グループタブＴ１２３がグループ化されていることを示す表示がなされていることが好ましい。グループタブがグループ化されていることを知ることができるので、グループタブの利便性が向上する。
【００４２】
次に、本発明のプログラムについて好ましく用いられる内部データ構造を参照しながら説明する。
【００４３】
図７、図９、図１１は、本発明のプログラムをコンピュータ上で実施する際に用いられる内部データ構造の一例を示す図であり、図８、図１０、図１２は内部データ構造に対応して表示される様子を示す図である。
【００４４】
（タブグループ作成）
図７（ａ）、（ｂ）はそれぞれ、図８（ａ）、（ｂ）に示す表示状態に対応するデータテーブル構造を示している。具体的には、タブ情報テーブルとして、「タブ順位」、「タブ名」、「グループ番号」、「選択」のカラムに、タブＴ１乃至タブＴ６のそれぞれの項目に対応する情報が記録されている。「タブ順位」は、タブの配列を示すための情報であり、本実施例では、タブ順位の若い番号から順に左から右に配列されている。「タブ名」は、タブＴ１なら「Ｔ１」などというタブに設定された名称を示す情報である。「グループ番号」は、タブがグループ化された時に、どのグループであるかを判断するための情報である。グループ化されていないタブのグループ番号は、例えば「ＮＵＬＬ（ゼロ）」とされる。「選択」は、当該タブが選択状態（クリックされた状態）か否かを示す情報である。本実施例では、「１」が選択状態であり、「０」が非選択状態である。また、グループタブ情報テーブルとして、「番号」、「タブ名」のカラムにグループ設定されたタブの情報が記録されている。図７（ａ）ではタブにグループ設定がされておらず図８（ａ）に示すような表示となるが、図７（ｂ）では、タブ名「Ｔ１２３」のグループタブと、タブ名「Ｔ４６」のグループタブが設定されており、図８（ｂ）に示すようにグループタブＴ１２３とグループタブＴ４６が左から順に配列されて表示されている。このようにしてタブグループ（グループタブ）が作成される。
【００４５】
（タブグループ解除）
図９（ａ）、（ｂ）はそれぞれ、図１０（ａ）、（ｂ）に示す表示状態に対応するデータテーブル構造を示している。具体的には、図９のデータテーブルは、図７のデータテーブルと同様のカラムで構成されている。図９（ａ）では、グループタブＴ１２３とグループタブＴ４６が設定されており、図１０（ａ）のように表示されているが、図９（ｂ）では、グループタブＴ１２３のグループ設定が解除され、タブＴ１、タブＴ２、タブＴ３がそれぞれ独立したタブとして図１０（ｂ）に示すように表示される。このようにしてタブグループの解除が行われる。
【００４６】
（選択タブの変更）
図１１（ａ）、（ｂ）はそれぞれ、図１２（ａ）、（ｂ）に示す表示状態に対応するデータテーブル構造を示している。具体的には、図１１のデータテーブルは、図７のデータテーブルと同様のカラムで構成されている。図１１（ａ）では、グループタブＴ１２３とグループタブＴ４６が設定されており、グループタブＴ１２３のうちのタブＴ１が選択状態となり、図１２（ａ）のようにタブＴ１に対応する表示窓が表示されているが、図１１（ｂ）では、グループタブＴ１２３のうちのタブＴ２が選択状態となり図１２（ｂ）に示すようにタブＴ２に対応する表示窓が表示される。このようにして選択タブの変更が行われる。
【００４７】
続いて、本発明のプログラムを具体的に実施した例を説明する。
【００４８】
図１３（ａ）に示す計画（チャート）タブと、図１３（ｂ）に示す計画（数値）タブとを選択し、グループ設定して、グループタブ「計画」を作成する。作成されたグループタブを１回選択すると、図１４（ａ）に示すように計画（チャート）タブに対応する表示窓が表示され、さらにもう１回選択すると、図１４（ｂ）に示すように計画（数値）タブに対応する表示窓が表示される。
【００４９】
この実施の形態によれば、計画について１つのグループタブとしてグループ設定すると、該グループタブを選択する回数に応じてチャートと数値とを切り替えて表示することができる。計画について視覚的に把握したい場合は、「計画」のグループタブの選択（クリック）を１度することにより、図１４（ａ）に示すようにチャート表示することができる。また、計画について数値的に把握したい場合は、「計画」のグループタブの選択（クリック）を２度することにより、図１４（ｂ）に示すように数値情報として表示することができる。従って、計画という同一カテゴリのタブを１つのグループタブとすることにより、当該グループタブを選択することによって、同一カテゴリの表示窓を切り替えて表示することができ、操作性が向上する。
【００５０】
図１５（ａ）に示すコメント（作業者）タブと、図１５（ｂ）に示すコメント（管理者）タブとを選択し、グループ設定して、グループタブ「コメント」を作成する。作成されたグループタブを１回選択すると、図１６（ａ）に示すようにコメント（作業者）タブに対応する表示窓が表示され、さらにもう１回選択すると、図１６（ｂ）に示すようにコメント（管理者）タブに対応する表示窓が表示される。
【００５１】
この実施の形態によれば、計画について１つのグループタブとしてグループ設定すると、該グループタブを選択する回数に応じて作業者のコメントと管理者のコメントとを切り替えて表示することができる。作業者のコメントを把握したい場合は、「コメント」のグループタブの選択（クリック）を１度することにより、図１６（ａ）に示すように作業者のコメントを表示することができる。また、管理者のコメントについて把握したい場合は、「コメント」のグループタブの選択（クリック）を２度することにより、図１６（ｂ）に示すように管理者のコメントを表示することができる。従って、コメントという同一カテゴリのタブを１つのグループタブとすることにより、当該グループタブを選択することによって、同一カテゴリの表示窓を切り替えて表示することができ、操作性が向上する。
【００５２】
上記態様以外に、グループタブのうちで表示対象となったタブの選択回数を保持するデータテーブルを設けることで、グループタブを選択した際に、参照頻度が一番多いタブをデフォルト表示させることができ、要求頻度が高い表示窓を表示させるための操作を素早く簡単に行えるようになる。
【００５３】
上記の本発明のプログラムによる情報の表示及び操作は、かかるソフトウエアアプリケーションの制御及びそれを実現するハードウエア資源（パソコン等）により実施できる。
【００５４】
本発明のユーザインターフェースは、上記プログラムを実現するためのソフトウエアアプリケーションを搭載したハードウエアとして実施することができる。
【００５５】
また、本発明のプログラムを記録したコンピュータ読取り可能な記録媒体としては、ＦＤ（フレキシブルディスク）、ＣＤ−ＲＯＭ、ＭＯ（光磁気ディスク）等の公知の記録媒体を用いることができる。
【図面の簡単な説明】
【図１】本発明のプログラムの機能を説明するための説明図
【図２】グループタブの選択操作の一例を説明するための説明図
【図３】グループタブの選択操作の他の一例を説明するための説明図
【図４】グループタブの選択操作の他の一例を説明するための説明図
【図５】グループタブの選択操作の他の一例を説明するための説明図
【図６】グループタブの選択操作の他の一例を説明するための説明図
【図７】本発明のプログラムをコンピュータ上で実施する際に用いられる内部データ構造の一例を示す図
【図８】図７に示す内部データ構造に対応して表示される様子を示す図
【図９】本発明のプログラムをコンピュータ上で実施する際に用いられる内部データ構造の他の一例を示す図
【図１０】図９に示す内部データ構造に対応して表示される様子を示す図
【図１１】本発明のプログラムをコンピュータ上で実施する際に用いられる内部データ構造の他の一例を示す図
【図１２】図１１に示す内部データ構造に対応して表示される様子を示す図
【図１３】本発明のプログラムを具体的に実施した一例を説明するための図
【図１４】本発明のプログラムを具体的に実施した一例を説明するための図
【図１５】本発明のプログラムを具体的に実施した他の一例を説明するための図
【図１６】本発明のプログラムを具体的に実施した他の一例を説明するための図
【符号の説明】
１：表示窓
２ａ、２ｂ、…２ｅ：タブ
【図１】
2004288062.tif 000003
【図２】
2004288062.tif 000004
【図３】
2004288062.tif 000005
【図４】
2004288062.tif 000006
【図５】
2004288062.tif 000007
【図６】
2004288062.tif 000008
【図７】
2004288062.tif 000009
【図８】
2004288062.tif 000010
【図９】
2004288062.tif 000011
【図１０】
2004288062.tif 000012
【図１１】
2004288062.tif 000013
【図１２】
2004288062.tif 000014
【図１３】
2004288062.tif 000015
【図１４】
2004288062.tif 000016
【図１５】
2004288062.tif 000017
【図１６】
2004288062.tif 000018